(57)【要約】モバイルクライアントのユーザは、データネットワークを介してダウンロードされる電子コンテンツ情報を要求する。クライアントは、はじめに、要求されたコンテンツ情報の意味的に要約されたバージョンを受ける。ダウンロードが事前に割り込まれる場合、ユーザは少なくとも意味のある利用可能な要約を有する。
2007506177.tif 000002
【特許請求の範囲】
【請求項１】
データネットワークを介して電子的なコンテンツ情報を提供する方法であって、
当該方法は、コンテンツ情報の要求に応じて前記ネットワークを介して前記コンテンツ情報の意味的に要約されたバージョンを受信するのを可能にするステップを含む、
ことを特徴とする方法。
【請求項２】
前記要約されたバージョンは、完全な形で前記コンテンツ情報を提供し始める前に提供される、
請求項１記載の方法。
【請求項３】
前記コンテンツ情報を提供するステップは、前記要約されたバージョンが提供された後に前記要約されたバージョンに補足量を供給するステップを含む、
請求項１記載の方法。
【請求項４】
完全な形で前記コンテンツ情報の提供の完了の後に、前記要約されたバージョンを削除のために利用可能にするステップを含む、
請求項２記載の方法。
【請求項５】
前記意味的に要約されたバージョンを記憶手段から検索するステップを含む、
請求項１記載の方法。
【請求項６】
前記要約されたバージョン及び前記コンテンツ情報は、異なるネットワークサイトで記憶される、
請求項５記載の方法。
【請求項７】
前記要求に応じて前記意味的に要約されたバージョンを生成するステップを含む、
請求項１記載の方法。
【請求項８】
前記要約されたバージョンを生成する前記ステップと前記コンテンツ情報を供給するステップは、異なるネットワークロケーションで実行される、
請求項７記載の方法。
【請求項９】
ホームネットワークにインストールするための制御ソフトウェアであって、
当該制御ソフトウェアは、前記電子的なコンテンツ情報の要求に応じて、電子的なコンテンツ情報の要約されたバージョンを装置にはじめにダウンロードするために作用する、
ことを特徴とする制御ソフトウェア。
【請求項１０】
前記データネットワークを介して電子的なコンテンツ情報を供給する制御のために、データネットワークにインストールされる制御ソフトウェアであって、
当該制御ソフトウェアは、前記コンテンツ情報の要求に応じてネットワークを介して前記コンテンツ情報の意味的に要約されたバージョンを受信するのを可能にするために作用する、
ことを特徴とする制御ソフトウェア。
【請求項１１】
データネットワークを介してサーバから電子的なコンテンツ情報を受信するための装置であって、
当該装置は、前記コンテンツ情報の要求に応じて前記ネットワークを介して前記コンテンツ情報の意味的に要約されたバージョンを受信するのを可能にするステップを含む、
請求項１１記載の方法。
【発明の詳細な説明】
【技術分野】
【０００１】
本発明は、コンテンツ情報をオフロードする方法、コンテンツ情報のオフロードを制御する制御ソフトウェア、及びオフロードを容易にするために前処理されたコンテンツ情報に関する。
【０００２】
本発明は、特に、排他するものではないが、たとえば、そこに記憶されるコンテンツを記憶及びレンダリングするための携帯用の家電装置（ＣＥ）といった、携帯用又は移動体のコンテンツストレージ装置に関する。表現「コンテンツ情報」は、たとえば１以上のオーディオファイル、１以上のビデオファイル、１以上の静止画、又は１以上のマルチメディアファイル、若しくはその組み合わせ等を含んでいる。
【背景技術】
【０００３】
今日の傾向は、データユニットあたりにデータストレージキャパシティのコストが劇的に減少してきていることである。同時に、所与のストレージキャパシティのメモリのサイズは、技術の進歩のために減少し続けている。これは、本質的に。固体メモリにも当てはまる。これらのトレンドは、固体メモリが安価なビデオ／オーディオ携帯用装置について現在のハードディスク（ＨＤＤ）ベースのメモリに代わって費用対効果があることである点に進む。これは、大容量のデータストレージが、セルフォン、ＰＤＡ、ミュージック及びビデオプレーヤ、デジタルカメラ及び他のパーソナルＣＥ装置のような携帯用装置にとって利用可能となっていることを意味する。したがって、ユーザは、たとえばホームネットワーク、インターネット上のサービス、パーソナルエリアネットワーク（ＰＡＮ）等の携帯用装置を包含した大型の非集中又は分散されたメモリにより囲まれる。このメモリは分散されるので、様々なメモリセグメント間でデータが交換される。たとえば、モバイルＣＥ装置は、ホームネットワークの固定のリポジトリから、又はインターネットからのファイルをオフロードする。次いで、モバイル装置と（固定の）リポジトリ又はアクセスポイントとの間でのデータ交換に関する意図的又は偶発的な割込みにどのように対処すべきかに関する問題が生じる。
【発明の開示】
【発明が解決しようとする課題】
【０００４】
これは、データ同期の問題、すなわち、たとえば異なる装置、異なるディレクトリ等といった異なるロケーションにある互いの複数のデータセットとの一貫性をどのように保持するかに対処するものである。すなわち、どのように全てのこのメモリが、早期にプロセスをダウンロード及び終了するために全ての選択されたデータを待つのを望まないユーザに寛容な高速かつ信頼できる方式で同期されるべきかである。
【課題を解決するための手段】
【０００５】
上記目的のため、本発明は、サーバ又はストレージシステムからの電子コンテンツ情報をオフロード（たとえばダウンロード、アップロード）するのを可能にする方法を提案する。本方法は、要約されたバージョンのコンテンツ情報をはじめに提供することを含んでいる。要約されたバージョンは、その完全なままでコンテンツ情報をオフロードする前にオフロードされる。これは、要約及びフルレングスのコンテンツ情報の両者を記憶するためのエンドを受信するのを必要とする。代替として、コンテンツ情報のオフロードは、前もって要約されたバージョンを供給したことに応じて、要約されたバージョンに補足（complement）を供給することを含む。このようにして、補足セクションは、フルレングスにまで要約を累積的に拡張子、完全なコンテンツ情報が受信される。
【０００６】
本発明は、以下の例示となるシナリオに関連する。モバイルクライアントのユーザは、データネットワークを介してダウンロードされるための電子的なコンテンツ情報を要求する。クライアントは、要求されたコンテンツ情報の意味的に要約されたバージョンを受ける。ダウンロードが早期に割り込まれた場合、ユーザは、少なくとも利用可能な有意義な約を有する。
【０００７】
オーディオ／ビデオ（ＡＶ）のようなコンテンツ情報を要約する方法は、フィリップスエレクトロニクスリサーチによる、著者Mauro  Barbieru,  Lalitha  Agnihotri及びNevenka  Dimitrovaによる概要“Video  summarization  :  Method  and  Landscape”,  SPIE  Sept  7-11,  2003,  Orlando  FLで集中的に議論されている。
【０００８】
より詳細には、本発明は、データネットワークを介して電子コンテンツ情報を提供する方法に関する。本方法は、コンテンツ情報の要求に応じてネットワークを介して、意味的に要約されたバージョンのコンテンツ情報を受けるのが可能にすることを含む。本発明の実施の形態では、その完全なままでコンテンツ情報を提供し始める前に、要約されたバージョンが提供される。任意に、要約されたバージョンは、マークされるか、又はその完全なままでコンテンツ情報の提供の完了後に（自動的な）削除のために利用可能にされる。完全なコンテンツ情報を部分的に供給すること、及び要約されたバージョンを部分的に供給することは、必要ではないが同じである。要求している顧客に補足的なサービスとして、フルレングスの電子コンテンツ情報のサービスプロバイダは、別のパーティに要約されたバージョンの供給を委ねる場合がある。別の実施の形態では、コンテンツ情報の提供は、要約されたバージョンが提供された後に要約されたバージョンに補足を供給することを含んでいる。要約されたバージョン及びその補足の組み合わせは、完全なコンテンツ情報を形成する。
【０００９】
本発明に係る方法の実施の形態は、ストレージから意味的に要約されたバージョンを検索するステップを含んでいる。要約されたバージョン及びコンテンツ情報は、同じサーバで記憶されるか、又は、同じ又は異なるサービスプロバイダにより動作される異なるネットワークサイトで記憶される場合がある。代替的に、意味的に要約されたバージョンは、たとえばオン・ザ・フライで要求を受信することに応じて生成される。さらに、コンテンツ情報を供給する同じサーバは、要約を供給する場合があるが、これらのサービスは、異なるネットワークサイト又はサーバの間で分散することができる。オン・ザ・フライで要約を生成するオプションに関して、以下に更に簡単に説明される、国際出願ＷＯ０１９３０９１（代理人事件番号ＵＳ０００１２３）が引用される。この文献は、ブックマーキング、又は他のセグメントよりも聴取者に更に関心のある可能性があるコンテンツ情報のセグメントを示す。したがって、本発明で提案されるように、コンテンツ情報のオン・ザ・フライの要約の発生器の実施の形態は、オン・ザ・フライで要約を生成するためにのみマークされたセグメントを使用する。
【発明を実施するための最良の形態】
【００１０】
本発明は、添付図面を参照して例示を通して更に詳細に説明される。  
図面を通して、同じ参照符号は、類似又は対応する特徴を示している。
【００１１】
図１は、本発明のシステム１００のブロック図である。システム１００は、モバイル装置１０２、データストレージ装置１０４、及びデータ通信のために装置１０２とストレージ１０４を接続するデータネットワーク１０６を有する。ストレージ１０４は、コンテンツ情報アイテム１０８，１１０，．．．，１１２を記憶する。コンテンツアイテム１０８〜１１２は、ネットワーク１０６を介して装置１０２にオフロードされるために個別に選択可能である。
【００１２】
１以上の特定の１つのアイテム１０８〜１１２を選択するため、システム１００は、ストレージ１０４で記憶されるアイテムのインベントリ、オーバビュー又はインデックス１１４を含む。この例では、インデックス１１４は、ストレージ１０４で収容されるが、インデックス１１４は、システム１００での何処か適切な位置で記憶されている。インデックス１１４は、どのコンテンツ情報が装置１０２のユーザにとって利用可能であるかといったアウトラインを提供する。ユーザは、適切な方式でインデックス１１４とのインタラクションを通してアイテム１０８〜１１２の１以上の特定の１つをオフロードするために選択する。
【００１３】
たとえば、装置１０２は、モバイルＭＰ３プレーヤを含み、ストレージ１０４は、固定したリポジトリであり、たとえばプレイリスト１０８〜１１２で編成されたｍｐ３ファイルを記憶する。プレーヤ１０２は、ネットワーク１０６、すなわちたとえばインターネットまたはユーザのホームネットワークを介して、適切なアクセスポイント（図示せず）を介して、ストレージにアクセスする。別の例として、装置１０２は、プレイアウト及びゲーム機能をもち、インターネットアクセスをもつモバイルフォンを有する。ストレージ１０４は、モバイル装置１０２がインターネット１０６を介したアクセスを有する第三者のサーバを有する。ストレージ１０４は、ビデオクリップ、ムービー及び／又はビデオゲーム１０８〜１１２を提供する。
【００１４】
本発明によれば、システム１００、ストレージ１０４は、要約、又はコンテンツアイテム１０８〜１１２の凝縮されたバージョンを含む。たとえば、アイテム１０８は、特定のオーディオファイルのプレイリストを含み、要約１１６〜１２０の関連する１つは、たとえば、ユーザのプロファイルに従って前もって選択されるか、ユーザ履歴に基づいて選択されるか、又は前の場合に関する重要性に従ってユーザによりランク付けされる、アイテム１０８のファイルのサブセットを含む。別の例として、アイテム１０８は、映画又は別のビデオファイルを有する。要約１１６〜１２０の関連する１つは、このビデオのハイライトのみを有する。装置１０２のユーザがストレージ１０４にアクセスし、１以上のアイテム１０８〜１１２を選択する場合、はじめに、対応する１つの要約１１６〜１２０は、ネットワーク１０６を介して装置１０２に供給される。要約１１６〜１２０が供給された後、ストレージ１０４は、フルレングスアイテム１０８〜１１２の選択された１つの完全なコピーを供給する。代替的に、ストレージ１０４は、それぞれ選択された１つのアイテム１０８〜１１２について、既に提供されている対応する要約に関する補足を供給する。すなわち、ストレージ１０４は、選択された１つのアイテム１０８〜１１２から、関連する１つの要約１１６〜１２０に含まれるコンテンツの部分を差し引いたものを伝達する。これは、後者が既に送出されているためである。
【００１５】
装置１０２のユーザは、アイテム１０８〜１１２をオフロード可能にするため、ストレージ１０４により提供されるサービスに加入し、たとえば従来のビデオ・オン・デマンド又はミュージック・オン・デマンドシステムにおけるように、基本料金を支払う場合がある。更なる料金について、サービスは、フルレングスコンテンツをダウンロードする前に、関連する要約を提供することで本発明の方法を実行する。
【００１６】
図２は、システム１００の代替としてのシステム２００のブロック図である。図１では、要約１１６〜１２０は、フルレングスアイテム１０８〜１１２を提供するような、同じストレージ１０４（又はこのケースでのサーバ）により提供される。システム２００では、アイテム１０８〜１１２のストレージは、第一のサーバ２０２で実現され、要約１１６〜１２０のストレージは、第二のサーバ２０４で実現される。装置１０２のユーザはサーバ２０２からファイル１０８のダウンロードを供給したとき、彼／彼女は、要約１１６〜１２０の関連する１つを得るため、サーバ２０４にはじめに接続される。たとえば、サーバ２０４は、装置１０２の地理的な近くにおけるインターネット１０６上のエッジサーバ又はキャッシングサーバである。装置１０２の地理的な位置は、それがモバイル装置である場合、使用されるアクセスポイント（図示せず）のネットワークアドレスを介して決定することができる。このように、要約は、メインサーバ２０２から数ホップスも離れていないサーバからロードされ、少なくとも要約１１６〜１２０について高速かつロバストなデータ接続をサポートする。システム２００のコンフィギュレーションは、サーバ２０２のパーティにより供給されるサービスをエンハンスするため、装置１０２のユーザへのオプショナルサービスを提供するパーティにより利用することができる。先に既に記載されたように、要約を作成することは、プロフェッショナルエディタにより手動で行われる場合があり、このエディタは、むしろ時間がかかり、したがって高価である。代替として、アルゴリズムは、たとえばビデオといった要約を自動生成するために利用可能となってきている。たとえばユーザのオーディオプレイリストのケースでは、ユーザ、彼／彼女自身は、はじめにオフロードされた最も重要な歌を有するように、重要又は個人的な好みに従って前もってプレイリストの歌をランク付けする場合がある。
【００１７】
先に記載されたシナリオでは、要約は、前もって作成されており、はじめに要約、全体のコンテンツ又は要約への補足を後に、コンテンツ情報のフェーズドオフロードで検索されるため、システムに記憶される。図３は、代替を提供するシステム４００のブロック図である。システム４００は、オン・ザ・フライ、すなわちアイテム１０８〜１１２について装置１０２からの要求に応じて、要約１１６〜１１８を生成する要約ジェネレータ４０２を含んでいる。すなわち、要約１１６〜１２０は、必ずしも前もって記憶されない。要約１１６〜１２０は、たとえば益々増大する要求を予期してキャッシュすることができる。
【００１８】
システム１００，２００及び４００に加えて、データネットワーク１０６を介して装置１０２と通信するサーバ又はストレージ１０４は、好ましくは、コネクションの帯域幅（携帯用ＤＶＤプレーヤの高速接続用の高品質のビデオサマリ、及びモバイルフォンへの低速接続用の低品質のサマリ）、加入者料金又はユーザの好みに依存して、特定の要約の異なるバージョンを生成可能である。この環境で、いかに更に簡単に記載される、米国特許第６，０７６，１６６号（代理人事件番号ＰＨＡ２３，２１７）が引用される。
【００１９】
図４は、本発明におけるオフロードプロセスの実施の形態を例示する図である。装置１０２がファイル１０８に関連したサマリ（summary）１１６を受信する。サマリ１１６は、複数のセグメント３０２，３０４，．．．，３０６から構成される。セグメント３０２〜３０６のそれぞれは、セグメント３０２〜３０６がプレイアウトされる順序のそれぞれの指示を含むそれぞれのヘッダ３０８、３１０，．．．，３１２を有する。ファイル１０８は、複数のセグメント３１４、３１６、３１８，．．．，３２０、３２２からなり、好ましくは、それぞれセグメント３１４〜３２２がレンダリングされる順序の指示をもつそれぞれのヘッダ３２４，３２６，．．．，３３２を有する。好ましくは、セグメント３０２〜３０６の指示は、セグメント３１４〜３２２のプレイアウト順序に相対的なそれらのランキングを決定するのを可能にする。これにより、要約１１６は、エグメント３０２〜３０６の観点ではじめにオフロードされ、次いで、たとえばセグメント３１８及び３２０といったファイル１０８におけるそれらの補足をオフロードする。互いに、セグメント３０２〜３０６，３１８及び３２０は、完全又は実質的に完全な意味的なファイル１０８のコンテンツを形成し、ここでそれらのそれぞれのヘッダは、プレイアウトの正しい順序を決定可能である。
【００２０】
本発明は、たとえばインターネットの映画ライブラリ／サービス及びミュージックライブラリ／サービス、インターネットのニュースエージェンシー等に関する。
【００２１】
本発明は、サーバ又はストレージからオフロードされたコンテンツを得るモバイル装置により先に例示された。モバイル装置について、概略されたアプローチの利点は明らかである。本発明は、モバイル装置又はクライアントに制限されないことを理解されたい。モバイル装置以外の装置又はクライアントも本発明からの利益を受ける。
【００２２】
以下は引用により本明細書に盛り込まれる。  
Eugene  Shteyn及びJean  Moonenによる２００１年１０月４日に出願された米国シリアル番号０９／９７１，４７４号（代理人事件番号ＵＳ０１８１６６）“DIGITAL  CONTENT  CATERING  SERVICE”は、米国特許出願２００３００６９９６４として公開されている。この文献は、ネットワークを介して電子コンテンツ情報のケータリングに関する。消費者は、消費者により選択可能な期限の前にコンテンツの特定の部分のネットワークを介したデリバリを要求することが可能である。ケータリングサービスは、ネットワークの少なくともセグメントのデータトラフィックの帯域幅のプロファイルの制御下で期限の前にデリバリを終了する。デリバリのデッドラインのスケジューリングにより、サービス品質を維持しつつ、ネットワークの帯域幅の利用を最適にすることができる。
【００２３】
Pieter  van  der  Meulen及びGreg  Roelofsにより出願された米国特許第６，１２８，０２１号（代理人事件番号ＰＨＡ２３，１６２）“DOWNLOADING  IMAGE  GRAPHICS  WITH  ACCELERARED  TEXT  CHARACTER  AND  LINE  ART  CREATION”。この特許は、送信者から受信者に画像を送信することに関する。画像は、受信機のディスプレイでプログレッシブに再生成される。はじめに、低解像度のフルカラー画像表現が送信される。フル解像度の画像の制限されたカラー表示が送出される。フル解像度の表現の画素値は、アルファベット文字又は特徴のエッジを典型的に表す。第二の表現の空間的に対応する画素の制限されたカラーコンテンツの制御下での第一の表現の画素を変更することで、あるバージョンの画像を生成するために表現が結合される。従来の技術により大幅に高速に、結合された画像の読み易さが達成される。
【００２４】
Mohran  Moshfeghi等による米国特許第６．０７６，１６６号（代理人事件番号PHA23,217）“A  METHOD  FOR  PERSONALIZING  HOSPITAL  INTERNET  WEB  SITES”。この特許は、クライアントサーバシステムに関する。サーバは、ユーザの機能、ジョブ、又はホスピタルでの目的、及びログされたユーセージプロファイルに関する記憶された情報から推定されるものを含めて、ユーザの必要性及び好みを示す記憶された情報に依存して、グラフィック、オーディオ及びビデオファイルのようなスクリプトを使用してウェブページ及び他のデータオブジェクトを動的に生成するためのレイヤを含み、ユーザアクセスのレベルは、秘密の患者情報、ユーザのコンピュータ及び物理的な環境に特権を与える。特に、コンテンツは、サーバの負荷と同様にダウンロードの待ち時間を制限するため、ディスプレイの解像度、サーバとブラウザとの間の帯域幅のリンクに依存して生成される。
【００２５】
Eugene  Shteynによる２０００年６月１日に提出された米国シリアル番号０９／５８５，８２５号（代理人事件番号ＵＳ０００１２３）“CONTENT  WITH  BOOKMARKS  OBTAINED  FROM  AN  AUDIENCE’S  APPRECIATION”は国際特許出願ＷＯ１９３０９１として公開されている。この文献は、聴取者に非常に関心のある可能性のあるコンテンツ情報のエレメント又は一部を示すためにブックマークを提供する方法に関する。ブロードキャストステーションは、ブックマークされたロケーションでのコンテンツ情報データを挿入するために、第三者に販売又はリースするためにこれらブックマークを利用可能にする。第三者は、聴取者が理解する可能性がある示された部分に近い情報コンテンツに広告を挿入することができる。
【図面の簡単な説明】
【００２６】
【図１】本発明におけるシステムのブロック図である。
【図２】本発明におけるシステムのブロック図である。
【図３】本発明におけるシステムのブロック図である。
【図４】本発明の実施の形態を例示する図である。
【図１】
2007506177.tif 000003
【図２】
2007506177.tif 000004
【図３】
2007506177.tif 000005
【図４】
2007506177.tif 000006
【国際調査報告】
2007506177.tif 000007
2007506177.tif 000008